(57)【要約】【課題】  掲示物が風雨に曝されて汚損するという問題や、剥がれ落ち易いという問題を解消するとともにメンテナンス性を改善する。【解決手段】  以下を有する掲示板。掲示用板材１３，その上下左右の各縁から前方へ突設された短筒状の枠体１１，掲示用板材１３の上縁両端付近から前方へ突設された２本の枠内シート係止部材１７，枠体１１の天板部１１ａの前端面両端付近から前方へ突設された２本の外部シート係止部材１７０，透明な軟質樹脂シート２０，軟質樹脂シート２０の上縁に沿って一体に設けられ両端の突出端部２１０を枠内シート係止部材１７に係止されるシート支持部材２１，前記軟質樹脂シート２０の下縁に沿って一体に設けられ両端の突出端部２２０を外部シート係止部材１７０に係止可能なシート張設部材２２，シート張設部材２２両端の突出端部２２０に短筒状枠体１１の底板部１１ｂ方向への引張力を付与する引張機構２５，２７，１１ｂ，１１ｂｂ。【選択図】図１
2013186432.tif 000002
【特許請求の範囲】
【請求項１】
掲示用板材と、
前記掲示用板材の上下左右の各縁から前方へ突設された短筒状の枠体と、
前記短筒状枠体に支持され、前記掲示用板材の上縁の両端付近から各々前方へ突設された２本の枠内シート係止部材と、
前記短筒状枠体の天板部の前端面の両端付近から各々前方へ突設された２本の外部シート係止部材と、
透明な軟質樹脂シートと、
前記軟質樹脂シートの上縁に沿って一体に設けられ、両端をそれぞれ前記２本の枠内シート係止部材に係止される長尺状のシート支持部材と、
前記軟質樹脂シートの下縁に沿って一体に設けられ、両端をそれぞれ前記２本の外部シート係止部材に係止可能な長尺状のシート張設部材と、
前記シート張設部材の両端部に前記短筒状枠体の底板部方向への引張力を付与して前記軟質樹脂シートを下方へ引張する引張機構と、
を有する掲示板。
【請求項２】
請求項１に於いて、
前記シート支持部材は、両端が前記軟質樹脂シートの左右の縁から突出するようにして前記軟質樹脂シートの上縁に沿って一体に設けられ、両端の突出端部をそれぞれ前記２本の枠内シート係止部材に係止される長尺状の部材であり、
前記シート張設部材は、両端が前記軟質樹脂シートの左右の縁から突出するようにして前記軟質樹脂シートの下縁に沿って一体に設けられ、両端の突出端部をそれぞれ前記２本の外部シート係止部材に係止可能な長尺状の部材であり、
前記引張機構は、前記シート張設部材両端の各突出端部に前記短筒状枠体の底板部方向への引張力を付与して前記軟質樹脂シートを下方へ引張する機構である、
ことを特徴とする掲示板。
【請求項３】
請求項１又は請求項２に於いて、
前記引張機構は、
棒状部を備えた一対の係止部材と前記シート張設部材の各端部とをそれぞれ繋ぐ一対の弾性紐状体と、前記短筒状枠体の底板部の両端付近の前方側にそれぞれ形成された一対の切欠部とを有し、
前記切欠部を通した前記弾性紐状体の下端側に繋げられている前記係止部材の棒状部を前記切欠部に架け渡すことにより前記底板部の底面にて係止して、前記軟質樹脂シートを下方へ引張する、
ことを特徴とする掲示板。
【請求項４】
請求項１〜請求項３の何れかに於いて、
前記シート支持部材は前記シートの背面側に設けられた背面長尺材と前面側に設けられた前面長尺材とで前記シートを挟むように設けられており、
前記シート張設部材は前記シートの背面側に設けられた背面長尺材と前面側に設けられた前面長尺材とで前記シートを挟むように設けられている、
ことを特徴とする掲示板。
【請求項５】
請求項１〜請求項４の何れかに於いて、
前記枠内シート係止部材の前方には、前記枠体に支持されたカバー部材が近接して設けられている、
ことを特徴とする掲示板。
【発明の詳細な説明】
【技術分野】
【０００１】
本発明は、町内会や自治会或いは工事現場等で用いられる掲示板に関する。詳しくは、お知らせ等が記載された用紙が風雨に曝され難く、掲示物の交換等の取り扱いも容易であり、さらに、メンテナンスも容易な掲示板に関する。
【背景技術】
【０００２】
町内会や自治会等では、自治体からのお知らせ等が記載された書面を、町内に設置されている掲示板に画鋲等で貼り付けて、周知させている。また、工事現場では、工事期間や施工業者等を、工事現場周辺に設置した掲示板にて開示している。
このような掲示板は屋外に設置されているため、掲示物が風雨に曝されて汚損或いは破損するという問題や、剥がれ落ちたり、さらには飛散したりし易いという問題がある。また、剥がれ落ち難くするために多数の画鋲を用いると、取り付けるときや取り外すときに多大な手間を要するという問題もある。
実用新案登録第３０７０５０４号公報（特許文献１）には、表示物を風雨から守るために透明樹脂製の収納部に収納するようにした表示板について記載されているが、収納や取り出しに手間を要し、取り扱い難いという問題がある。
特開２０００−２３１３５０号公報（特許文献２）には、画鋲で止める等の従来の手法に代えて静電気を用いて掲示物を貼るようにした掲示板について記載されているが、風雨に曝されると剥がれ易いという問題がある。
【先行技術文献】
【特許文献】
【０００３】
【特許文献１】実用新案登録第３０７０５０４号
【特許文献２】特開２０００−２３１３５０号公報
【発明の概要】
【発明が解決しようとする課題】
【０００４】
本発明は、掲示物が風雨に曝されて汚損或いは破損するという問題や、剥がれ落ちたり飛散したりし易いという問題を解消することを目的とする。また、多数の画鋲を用いなくても、掲示物を確実に保持することができ、剥がれ落ち難い掲示板を提供することを目的とする。また、メンテナンスが容易な掲示板を提供することを目的とする。
【課題を解決するための手段】
【０００５】
本発明の構成を、下記［１］〜［５］に記す。なお、この項（［課題を解決するための手段］）と次項（［発明の効果］）に於いて、符号は理解を容易にするために付したものであり、本発明を符号の構成に限定する趣旨ではない。
【０００６】
［１］構成１
掲示用板材１３（１３０）と、
前記掲示用板材１３の上下左右の各縁から前方へ突設された短筒状の枠体１１と、
前記短筒状枠体１１に支持され、前記掲示用板材１３の上縁の両端付近から各々前方へ突設された２本の枠内シート係止部材１７と、
前記短筒状枠体１１の天板部１１ａの前端面の両端付近から各々前方へ突設された２本の外部シート係止部材１７０と、
透明な軟質樹脂シート２０と、
前記軟質樹脂シート２０の上縁に沿って一体に設けられ、両端をそれぞれ前記２本の枠内シート係止部材１７に係止される長尺状のシート支持部材２１と、
前記軟質樹脂シート２０の下縁に沿って一体に設けられ、両端をそれぞれ前記２本の外部シート係止部材１７０に係止可能な長尺状のシート張設部材２２と、
前記シート張設部材２２の両端部に前記短筒状枠体１１の底板部１１ｂ方向への引張力を付与して前記軟質樹脂シート２０を下方へ引張する引張機構と、
を有する掲示板。
【０００７】
［２］構成２
構成１に於いて、
前記シート支持部材２１は、両端が前記軟質樹脂シート２０の左右の縁から突出するようにして前記軟質樹脂シート２０の上縁に沿って一体に設けられ、両端の突出端部２１０をそれぞれ前記２本の枠内シート係止部材１７に係止される長尺状の部材であり、
前記シート張設部材２２は、両端が前記軟質樹脂シート２０の左右の縁から突出するようにして前記軟質樹脂シート２０の下縁に沿って一体に設けられ、両端の突出端部２２０をそれぞれ前記２本の外部シート係止部材１７０に係止可能な長尺状の部材であり、
前記引張機構は、前記シート張設部材２２両端の各突出端部２２０に前記短筒状枠体１１の底板部１１ｂ方向への引張力を付与して前記軟質樹脂シート２０を下方へ引張する機構２５，２７，１１ｂ，１１ｂｂである、
ことを特徴とする掲示板。
構成２は、シート支持部材２１の両端及びシート張設部材２２の両端がそれぞれ軟質樹脂シート２０の左右の縁から突出している構成であるが、前述の構成１は、かかる構成を含むとともに、さらに、シート支持部材の両端及び／又はシート張設部材の両端が、軟質樹脂シート２０の左右の縁から突出していない構成をも含む。
シート支持部材の両端が軟質樹脂シート２０の左右の縁から突出していない構成に於いて、シート支持部材の両端を２本の枠内シート係止部材１７にて係止するための構成としては、例えば、シート支持部材の両端に孔を穿設しておき、その孔に、枠内シート係止部材１７の先端側を挿通させる等の構成を挙げることができる。シート張設部材についても略同様である。
【０００８】
［３］構成３
構成１又は構成２に於いて、
前記引張機構は、
棒状部を備えた一対の係止部材２７と前記シート張設部材２２の各端部２２０とをそれぞれ繋ぐ一対の弾性紐状体２５と、前記短筒状枠体１１の底板部１１ｂの両端付近の前方側にそれぞれ形成された一対の切欠部１１ｂｂとを有し、
前記切欠部１１ｂｂを通した前記弾性紐状体２５の下端側に繋げられている前記係止部材２７の棒状部を前記切欠部１１ｂｂに架け渡すことにより前記底板部１１ｂの底面にて係止して、前記軟質樹脂シート２０を下方へ引張する、
ことを特徴とする掲示板。
弾性紐状体としては、例えば、ゴムベルト等のゴム弾性紐状体や、コイルバネ等のバネを挙げることができる。
［４］構成４
構成１〜構成３の何れかに於いて、
前記シート支持部材２１は前記シート２０の背面側に設けられた背面長尺材２１ｂと前面側に設けられた前面長尺材２１ａとで前記シート２０を挟むように設けられており、
前記シート張設部材２２は前記シート２０の背面側に設けられた背面長尺材２２ｂと前面側に設けられた前面長尺材２２ａとで前記シート２０を挟むように設けられている、
ことを特徴とする掲示板。
［５］構成５
構成１〜構成４の何れかに於いて、
前記枠内シート係止部材１７の前方には、前記枠体１１に支持されたカバー部材１９が近接して設けられている、
ことを特徴とする掲示板。
【発明の効果】
【０００９】
前述の構成を有する構成１は、掲示用板材１３に取り付けられる掲示物が、透明な軟質樹脂シート２０の背後となるため、風雨に曝され難い。このため、掲示物の汚損や剥がれ落ちる等の不具合を防止できる。また、風雨に曝されないため、多数の画鋲等を用いなくても掲示物を剥がれないように保持でき、取り付けるときや取り外すときの手間も軽減される。例えば、マグネットを用いて掲示物を取り付けるということも可能となる。
また、軟質樹脂シート２０の取付構造が、シート支持部材２１を介して枠内シート係止部材１７に軟質樹脂シート２０を係止するというものであるため、軟質樹脂シート２０の交換が容易であり、メンテナンス性に優れる。
また、軟質樹脂シート２０の下縁側を、シート張設部材２２を介して、常時、引張機構で下方へ張っているため、張りを保った状態で軟質樹脂シート２０を確実に保持でき、通常程度の風雨に曝されても脱落することがなく、また、軟質樹脂シート２０の後方の掲示物の視認性を損なうこともない。
前述の構成を有する構成２は、軟質樹脂シート２０の取付作業や交換作業をさらに容易に行うことができる具体的な構成を提供できる。
【００１０】
前述の構成を有する構成３は、引張機構が、シート張設部材２２の両端を弾性紐状体２５で下方へ引き、該弾性紐状体２５の下端側を係止部材２７を介して枠体１１の底板部１１ｂにて係止するという簡素な構造であり、所望の作用効果（＝構成１や２の作用効果）を、低コストで達成できる効果がある。
前述の構成を有する構成４は、シート支持部材２１が軟質樹脂シート２０の上縁を両面から挟み、シート張設部材２２が軟質樹脂シート２０の下縁を両面から挟む構造であるため、それらが軟質樹脂シート２０と確実に一体化される。また、背面側にもシート支持部材２１の要素とシート張設部材２２の要素が設けられているため、軟質樹脂シートの後方に所定の間隙を確保することができ、軟質樹脂シート２０が背後の部材や掲示物に接触する等の不具合を防止できる。
前述の構成を有する構成５は、枠内シート係止部材１７の前方に、カバー部材１９が近接して設けられているため、枠内シート係止部材１７により係止されているシート支持部材２１が、前方側から脱落してしまうことを防止でき、軟質樹脂シート２０を確実に保持することができる。
【図面の簡単な説明】
【００１１】
【図１】実施の形態の掲示具を示し、（ａ）は正面を示す模式図、（ｂ）は（ａ）内Ｂ矢視の断面図。
【図２】（ａ）は図１内Ａ２矢視の断面図、（ｂ）はＢ２矢視の断面図、（ｃ）はＣ２矢視の断面図、（ｄ）はＤ２矢視の端面図。
【発明を実施するための形態】
【００１２】
図面を参照して、本発明の実施の形態を説明する。
図１と図２は実施の形態の掲示板を模式的に示す図である。両図とも要部の図示を優先させているため、各構成部分の縮尺等は実際とは異なる。例えば、掲示板を正面から見た場合、実際には掲示面部１３０の面積が大部分を占めるのであるが、図１（ａ）では、枠体１１の前面部分の幅や、ゴムベルト２５の幅、或いは、係止部材（係止リング）２７のサイズ等、本掲示板の要部を拡大して示している。また、図示されている掲示板は横長の掲示板であるが、当然ながら、縦長であってもよい。
【００１３】
本掲示板は、短筒状の枠体１１と、その背後に設けられた掲示用板材１３を有する。枠体１１は、例えば、木製、樹脂製、金属製等、素材を問わないが、コスト面から、本例では木製である。掲示用板材１３の前面にはマグネットを保持できるように、薄い鉄板の掲示面部１３０が設けられている。なお、簡略型では、ベニヤ等の合板製等の掲示用板材１３のみを用い、掲示物を画鋲等で貼り付けるようにしてもよい。
また、図１（ｂ）に示すように、図示の掲示板では、枠体１１の後端部内に掲示用板材１３が嵌まり込むように構成されているが、これは一例を示すものであり、枠体１１の後端面上に、該後端面を覆うようにして掲示用板材１３を設けてもよい。
【００１４】
掲示用板材１３には、その上縁に沿って、上桟１５ａが設けられている。また、下縁に沿って、下桟１５ｂが設けられている。これら上下の桟１５ａ，１５ｂは、枠体１１により、接着やビス止め等の適宜の手法で支持されている。なお、必要に応じて、枠体１１及び掲示用板材１３の両者によって支持するように構成してもよい。また、上桟１５ａと下桟１５ｂのみならず、両サイドにも、縁に沿って横桟を設けてもよく、さらに、上桟と下桟と左右の横桟とを一体に構成して筒状と成してもよい。そのようにすると、さらに剛性を向上させることができる。
【００１５】
上桟１５ａの前端面の左右両端付近には、それぞれ、枠内シート係止部材１７が、前方へ突設されている。この突設量は、後述のシート支持部材（シート上縁真直部材）２１を確実に上に載せて係止でき、且つ、掲示用板材１３の厚さと上桟１５ａの厚さと枠内シート係止部材１７の突設長さとの合計が、短筒状枠体１１の筒長より、若干短い長さとなるように設定されている。また、図には示されていないが、枠内シート係止部材１７の前端の上面に突出部を設けて、当該枠内シート係止部材１７の上に載せたシート支持部材（シート上縁真直部材）２１のストッパと成し、更に確実に係止できるようにしてもよい。
かかる枠内シート係止部材１７は、例えば、本体を円筒で構成し、筒内にビスを挿入して上桟１５ａにビス止めし、前端部外周面に上記突出部としてのリングを外嵌して構成することができる。
【００１６】
枠体１１を構成する天板部１１ａには、その前端面の左右両端付近に、それぞれ、外部シート係止部材１７０が、前方へ突出するように設けられている。この突設量は、掲示物の貼り替え等のために軟質樹脂シート２０を上方へ持ち上げて開き、その状態を保持するべく、後述のシート張設部材（シート下縁真直部材）２２を当該外部シート係止部材１７０の上に載せて係止したとき、その係止状態を確実に保持できる長さに設定されている。また、図には無いが、外部シート係止部材１７０の前端の上面に突出部を設けて、当該外部シート係止部材１７０の上に載置したシート張設部材（シート下縁真直部材）２２のストッパと成し、更に確実に係止できるようにしてもよい。
かかる外部シート係止部材１７０は、例えば、本体を円筒で構成し、筒内にビスを挿入して枠体１１の天板部１１ａにビス止めし、前端部外周面に上記突出部としてのリングを外嵌して構成することができる。
【００１７】
掲示用板材１３（及び掲示面部１３０）の前方には、透明な軟質樹脂シート２０が、枠内シート係止部材１７により係止されたシート支持部材（シート上縁真直部材）２１から下垂するようにして、設けられる。
【００１８】
軟質樹脂シート（本例では塩ビシート）２０は、その上縁にシート支持部材２１が一体に設けられ、下縁にシート張設部材２２が一体に設けられている。即ち、軟質樹脂シート２０の上縁には、シート支持部材２１を構成する背面側長尺材２１ｂと前面側長尺材２１ａとがシート２０を挟むようにして一体に設けられ、同様に、下縁には、シート張設部材２２を構成する背面側長尺材２２ｂと前面側長尺材２２ａとがシート２０を挟むようにして一体に設けられている。なお、背面側長尺材２１ｂと前面側長尺材２１ａの２部材を重ね合わせた構成とせず、背面側長尺材又は前面側長尺材の一方のみで、シート支持部材２１を構成してもよい。シート張設部材２２についても同様である。シート支持部材２１の両端は、軟質樹脂シート２０の左右の端部から突出する突出端部２１０とされており、同様に、シート張設部材２２の両端は、軟質樹脂シート２０の左右の端部から突出する突出端部２２０とされている。
【００１９】
かかる構成に於いて、シート支持部材２１の突出端部２１０を、枠内シート係止部材１７の下方内側から差し入れて当該枠内シート係止部材１７に係止すると、上述のように、軟質樹脂シート２０が掲示用板面１３（及び掲示面部１３０）の前方に下垂される。差し入れは、まず、左側の突出端部２１０を左側のシート係止部材に、次に、右側の突出端部２１０を右側のシート係止部材にというように（又はその逆順で）、順番に行う。メンテナンス等のための取り外し時には、上記の逆の操作となる。
【００２０】
なお、シート支持部材の両端を軟質樹脂シート２０の左右の縁から突出させないように構成して軟質樹脂シート２０の横幅を拡げ、それにより、いっそう横風が入り難くなるようにすることも可能である。その場合、シート支持部材の両端を枠内シート係止部材１７にて係止するための構成としては、例えば、シート支持部材の両端に孔を設け、その孔に枠内シート係止部材の先端を挿通して係止する構成を挙げることができる。なお、シート張設部材についても同様に、両端が軟質樹脂シート２０の左右の縁から突出しないように構成することができる。
【００２１】
枠内シート係止部材１７の前方には、樹脂板製のカバー部材１９が、所定の間隙を空けて、近接して設けられている。この間隙は、枠内シート係止部材１７の上に両端の突出端部２１０，２１０を載置されることにより係止されたシート支持部材２１が、前方側から抜け落ちない程度に設定されている。なお、カバー部材１９の素材としては、樹脂に限定されず、適宜の素材を採用できる。また、カバー部材を、枠内シート係止部材１７の前方のみならず、両サイドにも縁に沿って設けるようにしてもよい。その場合、両サイドのカバー部材の取り付け／取り外し作業を容易にするために、例えば、枠体の底板部１１ｂの前面に溝状の受け部を設け、該溝状の受け部にカバー部材の下端を挿入し、上端側をカバー部材１９の裏面側で係止するように構成してもよい。また、各カバー部材の裏面側にスポンジ等を設けて、風除け機能をさらに高めてもよい。
【００２２】
シート張設部材２２の両端の突出端部２２０には、リング状のゴムベルト（ゴム弾性紐状体）２５が引っ掛けられており、該ゴムベルト２５の下方側にはリング状の係止部材２７が繋がれている。このゴムベルト２５を、枠体１１を構成する底板部１１ｂの左右両端部付近の前方側に形成されている切欠部１１ｂｂを通し、さらに、該ゴムベルト２５の下方側に繋がれている係止部材２７の棒状部を底板部１１ｂの下面側で係止する（＝係止部材２７の棒状部を切欠部１１ｂｂに架け渡す）と、シート張設部材２２に対して下方への引張力が作用し、その結果、シート張設部材２２に下縁を一体化されている軟質樹脂シート２０に対しても引張力が作用する。このため、軟質樹脂シート２０はピンと張られた状態となって、背後の掲示物の視認性も良好となる。また、軟質樹脂シート２０が背後の掲示物や部材に当接して損傷する等の不具合も防止される。
【００２３】
また、図には示されていないが、上桟１５ａや下桟１５ｂの前端面と、軟質樹脂シート２０の間には、スポンジ等のクッション材が設けられていて、風が、掲示用板材１３と軟質樹脂シート２０との間の空間に入り込むことを防止し、もって、軟質樹脂シート２０が前方へ膨らむことを防止している。両サイドに横桟を設けた場合には、それらについても同様にスポンジ等を設けてよい。なお、スポンジ等には、軟質樹脂シート２０と上桟１５ａや下桟１５ｂとの接触を防止する作用もある。
【００２４】
掲示物の交換時には、ゴムベルト２５や係止リング２７等で構成されている引張機構の作用を解除した後、シート張設部材２２の前面側長尺材２２ａを手で持ち上げて外部シート部材１７０の上に載せて係止する。これにより、軟質樹脂シート２０が図中に二点鎖線で示すように開かれ、掲示物の貼り替え等が可能となる。
【符号の説明】
【００２５】
１１  枠体
１１ａ  枠体の天板部
１１ｂ  枠体の底板部
１１ｂｂ  枠体の底板部の切欠部
１１ｃ  枠体の左側板部
１１ｄ  枠体の右側板部
１３  掲示用板材（掲示物取付板）
１３０  掲示面部（掲示物取付面部）
１５ａ  上桟
１５ｂ  下桟
１７  枠内シート係止部材
１７０  外部シート係止部材
１９  カバー部材（樹脂板）
２０  透明な軟質樹脂シート
２１  シート支持部材（シート上縁真直部材）
２１０  シート支持部材の突出端部
２１ａ  シート支持部材の前面長尺材
２１ｂ  シート支持部材の背面長尺材
２２  シート張設部材（シート下縁真直部材）
２２０  シート張設部材の突出端部
２２ａ  シート張設部材の前面長尺材
２２ｂ  シート張設部材の背面長尺材
２５  弾性紐状体（ゴムベルト）
２７  係止部材（係止リング）
【図１】
2013186432.tif 000003
【図２】
2013186432.tif 000004